(57)【要約】【課題】建物の床下部分に、居住者が立ち入ることが可能な大きさの床下収納庫を、結露やカビの発生を抑制した状態で効率良く設置できる床下収納庫構造を提供する。【解決手段】本発明の床下収納庫構造は、ベタ基礎１１のベース部１１ａの一部を掘り下げて、当該ベタ基礎１１と連続して形成されたベースピット部１２と、ベースピット部１２の周壁１２ａと離間した状態でベースピット部１２に設置され、上端部分に設けられた出入口部１０ａが、建物の床部１３に開閉可能に設けられた床開口部１３ａに臨んで配置される収納庫ユニット１０とからなり、且つ収納庫ユニット１０の出入口部１０ａの開口周縁部を形成する出入口周壁１４が、床開口部１３ａの開口周縁部から下方に延設して設けられた床開口部周壁１５と間隔をおいて配置されており、出入口周壁１４と床開口部周壁１５との間隔部分ｓは、可撓性を有する気密部材１６によって閉塞されている。【選択図】図１
2010084374.tif 000002
【特許請求の範囲】
【請求項１】
ベタ基礎のベース部の一部を掘り下げることにより、当該ベタ基礎と連続して形成されたベースピット部と、該ベースピット部の周壁と離間した状態で該ベースピット部に設置され、上端部分に設けられた出入口部が、建物の床部に開閉可能に設けられた床開口部に臨んで配置される収納庫ユニットとからなり、
且つ該収納庫ユニットの前記出入口部の開口周縁部を形成する出入口周壁が、前記床開口部の開口周縁部から下方に延設して設けられた床開口部周壁と間隔をおいて配置されており、前記出入口周壁と前記床開口部周壁との間隔部分は、可撓性を有する気密部材によって閉塞されている床下収納庫構造。
【請求項２】
前記床開口部は、床蓋によって開閉可能に覆われており、該床蓋は、前記床開口部の閉塞時に、その周縁部が、前記床開口部周壁との間に気密パッキンを介在させた状態で前記床開口部周壁に密着するようになっている請求項１に記載の床下収納庫構造。
【請求項３】
前記床蓋の下方に、前記床開口部周壁に支持されて、断熱蓋が着脱可能に設けられている請求項１又は２に記載の床下収納庫構造。
【請求項４】
前記収納庫ユニットは、前記ベースピット部の底盤部から支持されたアンカー部材を介して浮き上りを防止された状態で前記ベースピット部に設置されている請求項１〜３のいずれかに記載の床下収納庫構造。
【発明の詳細な説明】
【技術分野】
【０００１】
本発明は、床下収納庫構造に関し、特に、予め製造された収納庫ユニットをベタ基礎に形成されたベースピット部に設置してなる床下収納庫構造に関する。
【背景技術】
【０００２】
例えば住宅建築物等の建物においては、床下空間を利用した簡易な床下収納庫が設けられる場合が多い。また、床下空間をより一層有効に利用するために、床下の地盤を掘り下げて、例えば居住者が立ち入ることが可能な相当の大きさの床下収納庫を、床下の地盤に埋設した状態で形成したものも開発されている（例えば、特許文献１参照）。さらに、床下空間に相当の大きさの床下収納庫を設ける際に、予め工場等において製造された収納庫ユニットを床下の地盤に埋設することによって、床下収納庫を効率良く設置できるようにしたものも開発されている（例えば、特許文献２参照）。
【特許文献１】特開２００１−３０３７６１号公報
【特許文献２】特開２００７−５６６０９号公報
【発明の開示】
【発明が解決しようとする課題】
【０００３】
しかしながら、例えば居住者が立ち入ることが可能な相当の大きさの床下収納庫を、床下の地盤を掘り下げて地盤中に埋設することによって床下部分に設置する場合、設置した床下収納庫の内部と、周囲の地盤との間に温度差が生じ易く、床下収納庫の内部に結露やカビ等が発生して、収容物に悪影響を及ぼす惧れがある。
【０００４】
このため、床下収納庫の内部に除湿機や乾燥機を設置したり、床下収納庫の換気を良くする工夫がなされているが（例えば、特許文献１参照）、結露やカビ等の発生を防止するには不十分である。
【０００５】
本発明は、このような従来の課題に着目してなされたものであり、建物の床下部分に、居住者が立ち入ることが可能な相当の大きさの床下収納庫を、結露やカビ等の発生を効果的に抑制した状態で効率良く設置することのできる床下収納庫構造を提供することを目的とする。
【課題を解決するための手段】
【０００６】
本発明は、ベタ基礎のベース部の一部を掘り下げることにより、当該ベタ基礎と連続して形成されたベースピット部と、該ベースピット部の周壁と離間した状態で該ベースピット部に設置され、上端部分に設けられた出入口部が、建物の床部に開閉可能に設けられた床開口部に臨んで配置される収納庫ユニットとからなり、且つ該収納庫ユニットの前記出入口部の開口周縁部を形成する出入口周壁が、前記床開口部の開口周縁部から下方に延設して設けられた床開口部周壁と間隔をおいて配置されており、前記出入口周壁と前記床開口部周壁との間隔部分は、可撓性を有する気密部材によって閉塞されている床下収納庫構造を提供することにより、上記目的を達成したものである。
【０００７】
そして、本発明の床下収納庫構造は、前記床開口部が、床蓋によって開閉可能に覆われており、該床蓋は、前記床開口部の閉塞時に、その周縁部が、前記床開口部周壁との間に気密パッキンを介在させた状態で前記床開口部周壁に密着するようになっていることが好ましい。
【０００８】
また、本発明の床下収納庫構造は、前記床蓋の下方に、前記床開口部周壁に支持されて、断熱蓋が着脱可能に設けられていることが好ましい。
【０００９】
さらに、本発明の床下収納庫構造は、前記収納庫ユニットが、前記ベースピット部の底盤部から支持されたアンカー部材を介して浮き上りを防止された状態で前記ベースピット部に設置されていることが好ましい。
【発明の効果】
【００１０】
本発明の床下収納庫構造によれば、建物の床下部分に、居住者が立ち入ることが可能な相当の大きさの床下収納庫を、結露やカビ等の発生を効果的に抑制した状態で効率良く設置することができる。
【発明を実施するための最良の形態】
【００１１】
本発明の好ましい一実施形態に係る床下収納庫構造は、図１（ａ），（ｂ）に示すように、建物として、例えば木造住宅建築物の一階部分の床下に、居住者が立ち入ることが可能な相当の大きさの床下収納庫を、予め製造された収納庫ユニット１０を用いて、結露やカビ等の発生を効果的に抑制した状態で効率良く設置できるようにするために採用されたものである。すなわち、本実施形態では、建物の基礎は、木造住宅建築物の下方の基礎地盤を覆って隙間無く一面に設けられるベタ基礎１１となっており、このベタ基礎１１のベース部１１ａの一部を掘り下げることによってベースピット部１２を形成し、形成されたベースピット部１２に収納庫ユニット１０を後述する状態で設置することにより、収納庫ユニット１０による床下収納庫の内部に結露やカビ等が発生するのを効果的に抑制できるようになっている。
【００１２】
そして、本実施形態の床下収納庫構造は、ベタ基礎１１のベース部１１ａの一部を掘り下げることにより、当該ベタ基礎１１と連続して形成されたベースピット部１２と、このベースピット部１２の周壁１２ａと離間した状態でベースピット部１２に設置され、上端部分に設けられた出入口部１０ａが、建物の床部１３に開閉可能に設けられた床開口部１３ａに臨んで配置される収納庫ユニット１０とからなり、且つ収納庫ユニット１０の出入口部１０ａの開口周縁部を形成する出入口周壁１４が、床開口部１３ａの開口周縁部から下方に延設して設けられた床開口部周壁１５と間隔をおいて配置されており、出入口周壁１４と床開口部周壁１５との間隔部分ｓは、図２（ａ），（ｂ）に示すように、可撓性を有する気密部材１６によって閉塞されている。
【００１３】
また、本実施形態では、床開口部１３ａは、床蓋１７によって開閉可能に覆われており、この床蓋１７は、床開口部１３ａの閉塞時に、その周縁部が、図２（ａ），（ｂ）に示すように、床開口部周壁１５との間に気密パッキン１８を介在させた状態で床開口部周壁１５に密着するようになっている。
【００１４】
さらに、本実施形態では、床蓋１７の下方に、床開口部周壁１５に支持されて、断熱蓋１９が着脱可能に設けられている。
【００１５】
さらにまた、本実施形態では、収納庫ユニット１０は、図１（ａ）に示すように、ベースピット部１２の底盤部１２ｂから支持されたアンカー部材２０を介して浮き上りを防止された状態でベースピット部１２に設置されている。
【００１６】
本実施形態では、ベタ基礎１１は、基礎地盤を覆って隙間無く一面に設けられるベース部１１ａの外周部分やこれの内側部分に、建物の土台２１が載置される立上り部１１ｂを、建物の外壁や仕切壁の直下部分に配置して形成されている。本実施形態では、図１（ａ），（ｂ）に示すように、例えば木造住宅建築物の一階部分に設けられたキッチン２２の周囲の外壁や仕切壁の直下部分に形成された立上り部１１ｂによって囲まれる領域のベース部１１ａを、底盤部１２ｂとして下方に掘り下げて形成すると共に、周囲の立上り部１１ｂと連続一体化して周壁１２ａを形成することにより、ベースピット部１２が、キッチン２２の床部１３の床下部分に形成されることになる。
【００１７】
これによって、ベースピット部１２は、キッチン２２の床部１３の下方に、周壁１２ａによって囲まれて例えば縦３５００ｍｍ、横２１００ｍｍ程度の大きさの平面矩形形状を有すると共に、底盤部１２ｂがベタ基礎１１のベース部１１ａよりも例えば７００ｍｍ程度掘り下げて形成されることにより、キッチン２２の床部１３までの高さが例えば１４００ｍｍ程度となった床下空間を保持した状態で設けられることになる。また、本実施形態では、ベースピット部１２の周壁１２ａの上部を構成するベタ基礎１１の立上り部１１ｂの天端面には、土台２１が、当該天端面との間に通気路ｐを確保した状態で取り付けられており、これによってベースピット部１２の内部の換気が行われるようになっている。
【００１８】
さらに、本実施形態では、ベースピット部１２の底盤部１２ｂには、その中央部分に一対の載置台２３が設けられており、これらの載置台２３に支持させて、収納庫ユニット１０を、底盤部１２ｂと離間させた状態でベースピット部１２の内部に安定させて据え付けることができるようになっている。さらにまた、本実施形態では、ベースピット部１２の底盤部１２ｂには、アンカー部材２０を構成するフック金物２０ａが、上方に突出して埋設固定されている。このフック金物２０ａには、一端部が収納庫ユニット１０に係着されるワイヤーやチェーン等からなる引張線状部材２０ｂの他端部が係着されることにより、フック金物２０ａと共にアンカー機能を発揮して、例えば地震時や水没時等における収納庫ユニット１０の浮き上がりを、効果的に防止できるようになっている。
【００１９】
ベースピット部１２に設置される収納庫ユニット１０は、例えば繊維強化プラスチック（ＦＲＰ）等からなる中空のユニット製品であって、ベースピット部１２によって形成されたキッチン２２の下方の床下空間に収まる所望の大きさ、形状を備えるように、予め工場等において製造される。収納庫ユニット１０は、人が立ち入ることができる大きさの中空内部を備えると共に、これの内部には、キッチン２２の床部１３から昇降するための梯子２４や整理棚２５等が必要に応じて適宜設けられている。また、収納庫ユニット１０の上端部分には、出入口周壁１４によって縁取りされて、縦５００ｍｍ、横１１００ｍｍ程度の大きさの略矩形形状の出入口部１０ａが開口形成されている。この出入口部１０ａを、キッチン２２の床部１３に開閉可能に設けられた床開口部１３ａに臨ませた状態で、収納庫ユニット１０がベースピット部１２に据え付けられることになる。
【００２０】
キッチン２２の床部１３に開口形成される床開口部１３ａは、キッチン２２の略中央部分において、収納庫ユニット１０の出入口部１０ａよりも一回り大きな、縦６００ｍｍ、横１２００ｍｍ程度の大きさの矩形形状を備えるように形成されている。床開口部１３ａは、公知の各種の開閉機構を介して取り付けられた床蓋１７によって開閉可能に覆われていると共に、床開口部１３ａの開口周縁部から下方に延設して、床開口部周壁１５が、床桁２６ａ，２６ｂによって支持された状態で設けられている。
【００２１】
本実施形態では、床開口部周壁１５は、例えば厚さ２４ｍｍ、高さ１８５ｍｍ程度の縦長矩形断面形状を有する帯板部材からなり、床開口部１３ａの四方を囲むようにして、周囲の床桁２６ａ，２６ｂに固定釘２７を用いて強固に取り付けられている。また、床開口部周壁１５の内側面に沿って、断熱蓋１９を支持する断熱外枠１９ａや支持台１９ｂが接合固定されており、これらの断熱外枠１９ａや支持台１９ｂに支持されて、断熱蓋１９が、床蓋１７の下方に着脱可能に取り付けられるようになっている。
【００２２】
断熱蓋１９は、断熱性能に優れた材料として、例えばポリスチレンフォーム等からなる蓋部材であって、公知の各種の着脱機構を介して、床開口部周壁１５の内側空間を閉塞可能に設けられる。床蓋１７の下方−に断熱蓋１９が設けられていることにより、室内側を断熱し、収納庫ユニット１０側へ室内の温度を伝えない構造となるため、外気温と収納庫ユニット１０内の温度が一定に保たれて、収納庫ユニット１０の内側や外側に結露が生じるのを効果的に防止することが可能になる。
【００２３】
そして、本実施形態では、床開口部周壁１５の下端部と、収納庫ユニット１０の出入口周壁１４との間隔部分ｓを閉塞して、図２（ａ），（ｂ）に示すように、可撓性を有する気密部材１６が取り付けられている。気密部材１６は、気密性能に優れた材料として、例えばブチルゴム系やアクリルゴム系の合成樹脂等からなる気密テープ等を好ましく用いることができる。気密部材１６は、その上側の縁部分を、床開口部周壁１５の下端部に取り付けた支持台１９ｂの内側面に、気密カバー２８との間に挟み込むようにして気密に接合すると共に、その下側の縁部分を、収納庫ユニット１０の出入口周壁１４の上端部内側面に、例えば接着剤等を用いて気密に接合することによって取り付けられる。これによって、気密部材１６は、床開口部周壁１５の下端部と収納庫ユニット１０の出入口周壁１４との間の相対変位をその可撓性によって吸収可能な状態で、これらの間の間隔部分ｓを気密に閉塞することになる。
【００２４】
また、本実施形態では、床開口部１３ａを開閉可能に覆う床蓋１７は、床開口部１３ａの閉塞時に、気密パッキン１８を介在させた状態でその周縁部を床開口部周壁１５の上端部に密着させるようになっている。すなわち、本実施形態では、床開口部１３ａの開口周縁部には、床部１３の開口内周端面と床開口部周壁１５の上端面とに跨って、開口枠金物２９が取り付けられており、床蓋１７の周縁部には、当該床蓋１７の外周端面と下面縁部と跨って、蓋枠金物３０が取り付けられている。そして、床開口部１３ａの閉塞時に、床開口部１３ａの開口枠金物２９と床蓋１７の蓋枠金物３０との間に気密パッキン１８が挟み込まれるようにして押圧されることにより、床蓋１７の周縁部は、床開口部周壁１５の上端部に強固且つ気密に密着するようになっている。
【００２５】
ここで、気密パッキン１８は、弾性を有する材料として、例えばエラストマー発泡体、ポリエチレン発泡体、エチレン・プロピレン発泡体等からなり、本実施形態では、例えば直径８ｍｍ程度の円形断面を有するように形成されている。気密パッキン１８は、開口枠金物２９における、床開口部周壁１５の上端面に接合される部分に沿って形成された嵌め込み凹部３１に、位置決めされた状態で装着されると共に、床開口部１３ａの閉塞時には、蓋枠金物３０の押圧面によって上方から押圧されることになる。これによって、床蓋１７の周縁部と床開口部周壁１５の上端部とは、これらの開口枠金物２９及び蓋枠金物３０と気密パッキン１８とを介して、強固且つ気密に密着することになる。なお、本実施形態では、床開口部１３ａの開口内周端面と開口枠金物２９との間、及び床蓋１７の下面縁部と蓋枠金物３０との間にもまた、気密パッキン１８ａが、これらの間に挟み込まれるようにして設けられていると共に、断熱蓋１９と断熱外枠１９ａとの間にもまた、気密パッキン１８ｂが、これらの間に挟み込まれるようにして設けられている。
【００２６】
そして、上述の構成を有する本実施形態の床下収納庫構造によれば、建物の床下部分に、居住者が立ち入ることが可能な相当の大きさの床下収納庫を、結露やカビ等の発生を効果的に抑制した状態で効率良く設置することができる。
【００２７】
すなわち、本実施形態によれば、床下収納庫構造は、ベタ基礎１１のベース部１１ａの一部を掘り下げることにより形成されたベースピット部１２と、ベースピット部１２にこれの周壁１２ａと離間した状態で設置され、出入口部１０ａが建物の床部１３の床開口部１３ａに臨んで配置される収納庫ユニット１０とからなり、且つ収納庫ユニット１０の出入口周壁１４が、床開口部１３ａの下方に延設する床開口部周壁１５と間隔をおいて配置されており、これらの間の間隔部分ｓは、可撓性を有する気密部材１６によって閉塞されている。したがって、収納庫ユニット１０がベースピット部１２の周壁１２ａと離間して設けられていることにより、ベースピット部１２の内部と周囲の地盤との間に温度差が生じていても、収納庫ユニット１０による床下収納庫の内部にはこのような温度差による影響が及ばないので、結露やカビ等の発生を効果的に回避することが可能になる。
【００２８】
また、本実施形態によれば、収納庫ユニット１０の出入口周壁１４と床開口部１３ａの床開口部周壁１５との間には、間隔部分ｓが保持されているので、地震時等においてこれらの間に相対変位が生じた場合でも、これらの接合部分が損傷するのを効果的に回避することが可能になると共に、これらの間隔部分ｓが気密部材１６によって閉塞されているので、ベースピット部１２から収納庫ユニット１０による床下収納庫の内部に湿気が侵入するの遮断して、結露やカビ等の発生をより効果的に回避することが可能になる。
【００２９】
さらに、本実施形態によれば、ベタ基礎１１のベース部１１ａの一部を掘り下げることによりベースピット部１２を形成した後に、形成したベースピット部１２に、所望の大きさ、形状を備えるように予め工場等において製造された収納庫ユニット１０を据え付けるだけの簡易な作業によって、居住者が立ち入ることが可能な相当の大きさの床下収納庫を床下部分に容易に形成することが可能になると共に、収納庫ユニット１０の周囲に間隔が保持された相当の広さを有するベースピット部１２の内部での作業として、収納庫ユニット１０の据え付け作業を容易に且つ効率良く行うことが可能になる。
【００３０】
さらにまた、本実施形態によれば、床蓋１７は、床開口部１３ａの閉塞時に、床開口部周壁１５との間に気密パッキン１８を介在させた状態で、その周縁部が床開口部周壁１５に密着するようになっているので、当該閉塞時において、キッチン２２を介して建物の内部から湿気が収納庫ユニット１０による床下収納庫の内部に侵入するのを遮断することが可能になり、これによって結露やカビ等の発生をさらに効果的に回避することが可能になる。
【００３１】
なお、本発明は上記実施形態に限定されることなく種々の変更が可能である。例えば、床蓋の下方に、断熱蓋を着脱可能に設ける必要は必ずしも無く、収納庫ユニットは、アンカー部材を介して浮き上りを防止された状態でベースピット部に設置される必要は必ずしもない。また、ベースピット部及び収納庫ユニットは、キッチンの床下部分に設ける必要が必ずしもなく、建物の任意の領域の床下部分に設けることができる。さらに、気密パッキンは、円形断面を有している必要は必ずしもなく、矩形断面等、その他の種々の断面形状を備えていても良い。
【図面の簡単な説明】
【００３２】
【図１】（ａ）は本発明の好ましい一実施形態に係る床下収納庫構造の構成を説明する縦断面図、（ｂ）は同横断面図である。
【図２】（ａ）は本発明の好ましい一実施形態に係る床下収納庫構造の構成を説明する要部縦断面図、（ｂ）は同要部横断面図である。
【符号の説明】
【００３３】
１０  収納庫ユニット
１０ａ  収納庫ユニットの出入口部
１１  ベタ基礎
１１ａ  ベタ基礎のベース部
１１ｂ  ベタ基礎の立上り部
１２  ベースピット部
１２ａ  ベースピット部の周壁
１２ｂ  ベースピット部の底盤部
１３  床部
１３ａ  床開口部
１４  出入口周壁
１５  床開口部周壁
１６  気密部材
１７  床蓋
１８，１８ａ，１８ｂ  気密パッキン
１９  断熱蓋
２０  アンカー部材
２１  土台
２２  キッチン
２３  載置台
ｓ    出入口周壁と床開口部周壁との間隔部分
ｐ    通気路
【図１】
2010084374.tif 000003
【図２】
2010084374.tif 000004